(57)【要約】      （修正有）【課題】良好なシール特性を有するソープパッケージのソープヘッド構造を提供する。【解決手段】ソープヘッド１およびカバー２を含む、ソープパッケージ用のソープヘッド構造である。ソープヘッドは中空柱状体１１であり、中空柱状体の下端に開口部が設けられ、内側壁の上面には当接面が設けられ、上面に貫通孔が設けられている。カバーには押上げ柱状体２１が設けられ、押上げ柱状体の上端には止め輪部２２が設けられ、押上げ柱状体には複数の当接脚部２３が突設されている。カバーは、ソープヘッドの貫通孔内に配置され、止め輪部の底面は、中空柱状体の上面に取り付けられる。当接脚部の上面は当接面に取り付けられ、カバーは貫通孔に嵌合し固定され、貫通孔は閉鎖状態になる。カバーを上方に押すことにより、係止部２５が貫通孔から離れるように上方に移動し、貫通孔は閉鎖状態から解放される。【選択図】図７
0003220685.tif 000002
【実用新案登録請求の範囲】
【請求項１】
一種のソープヘッドおよびカバーを含む、ソープパッケージのソープヘッド構造であり、前記ソープヘッドは中空柱状体であり、前記中空柱状体の下端には開口部が設けられ、前記中空柱状体の内側壁の上面には当接面が設けられ、前記中空柱状体の上面に貫通孔が設けられ、
前記カバーには押上げ柱状体が設けられ、前記押上げ柱状体の上端には止め輪部が設けられ、前記押上げ柱状体には複数の当接脚部が突設され、前記カバーは、前記ソープヘッドの前記貫通孔内に配置され、前記止め輪部の底面は、前記中空柱状体の上面に取り付けられ、前記当接脚部の上面は前記当接面に取り付けられているので、前記カバーは前記貫通孔に嵌合し固定され、前記貫通孔は閉鎖状態になることを特徴とする、ソープパッケージのソープヘッド構造。
【請求項２】
前記押上げ柱状体と前記当接脚部との間に接続リブが配置されていることを特徴とする、請求項１に記載のソープパッケージのソープヘッド構造。
【請求項３】
前記押上げ柱状体と前記止め輪部との間には係止部がさらに突出して配置されていることを特徴とする、請求項１または請求項２に記載のソープパッケージのソープヘッド構造。
【請求項４】
前記当接脚部は前記押上げ柱状体の下端から一定の距離を置いて配置されており、その距離は緩衝領域であることを特徴とする、請求項３に記載のソープパッケージのソープヘッド構造。
【請求項５】
前記止め輪部分の形状は、湾曲した傘形状であることを特徴とする、請求項４に記載のソープパッケージのソープヘッド構造。
【請求項６】
前記カバーは曲げられる材質でできていることを特徴とする、請求項１または請求項２または請求項３に記載のソープパッケージのソープヘッド構造。
【考案の詳細な説明】
【技術分野】
【０００１】
本考案は、ソープパッケージのソープヘッド構造、特に良好なシール特性を有するソープパッケージのソープヘッド構造に関する。
【背景技術】
【０００２】
一般に、ソープパッケージはソープディスペンサーのポンプソープヘッド上部に設置され、ユーザーはポンプソープヘッドを押して、ソープパッケージに含まれるソープ液をポンプソープヘッドから流出させることができる。しかし、従来のソープパッケージのソープヘッドは、ソープ液のオーバーフローを防ぐように設計されていないため、ユーザーがソープパッケージを更新したい場合において、ソープパッケージ内のソープ液は溢れ易く、ソープディスペンサーの本体の外側に付着し、それによりユーザーはソープディスペンサーを別に洗浄する必要があり、非常に不便である。ソープ液がソープディスペンサー本体内部の基板に溢れると、ソープディスペンサーの故障や損傷の原因となる。
【考案の概要】
【考案が解決しようとする課題】
【０００３】
本考案の目的は、上記の欠点を解決するソープパッケージのソープヘッド構造を提供することである。
【課題を解決するための手段】
【０００４】
本考案は、カバーとソープヘッドとを含むソープパッケージのソープヘッド構造を提供する。ソープヘッドは中空の柱状体であり、中空柱状体の下端には開口部が設けられている。中空の柱状体の内側壁の上面は当接面であり、中空柱状体の上面は貫通孔を備えている。カバーには押上げ柱状体が設けられ、押上げ柱状体の先端には係止部が設けられる。止め輪部が係止部の上端に配置され、押上げ柱状体が複数の当接脚を備え、カバーがソープヘッドの貫通孔に配置される。止め輪部の底面を中空柱状体の上面に重ね、当接脚の上面は当接面に当接し、カバーを貫通孔にはめ込み、貫通孔を閉じる状態に達する。使用時には、完全なソープパッケージ装置を形成するために、ソープヘッドセットをソープパッケージに組み合わせて設置する必要がある。そしてカバーを押すことによって、ソープ液は貫通孔から流出する。
【０００５】
さらに、カバーは曲げられる材質でできている。使用者がポンプソープヘッドを押してカバーを押すと、止め輪部がソープヘッドの上面に合わないので、貫通孔は閉じていない状態にあって、ソープ液は貫通孔から流出することができる。カバーを押すと、当接脚が圧迫され、下方に向ける。プッシュを押す力がなくなると、カバーは当接脚の弾力によって、カバーを元の位置に戻す。止め輪部をソープヘッドの上面に取り付け、貫通孔を閉じた状態に戻すことで、液体の流出を抑える効果が得られる。以下は、実施形態の詳細な説明であり、この詳細な説明は本考案の技術的特徴をよりよく理解できるようにするために提供される。
【考案の効果】
【０００６】
本考案は全体的に、カバーは、ソープヘッドの貫通孔を効果的に閉じることができる。ソープパッケージ装置は、取り付けまたは交換時にソープを漏らすことがない。さらに、カバーの接続リブは、カバーの持ち上げの滑らかさを効果的に補助することができ、当接脚部をより弾力的にすることができる。カバーをより迅速に元の位置に戻すことができるので、ソープの供給を遅らせることなく、ソープを与えるときに使用者は適時のフィードバック感覚を感じることができる。
【図面の簡単な説明】
【０００７】
【図１】本考案のソープヘッドの立体模式図である。
【図２】本考案のソープヘッドの別の角度の斜視図である。
【図３】本考案のカバーの立体参考模式図である。
【図４】本考案のカバーの別の角度の斜視図である。
【図５】本考案の立体分解参考模式図である。
【図６】本考案の立体組み合わせの参考模式図である。
【図７】本考案の実施形態の概略図（その１）である。
【図８】本考案の実施形態の概略図（その２）である。
【図９】本考案の実施形態の概略図（その３）である。
【図１０】本考案の実施形態の概略図（その４）である。
【考案を実施するための形態】
【０００８】
図１および図１０の図面を参照すると、本考案は、ソープヘッドとカバーとを含むソープ包装用のソープヘッド構造を提供する。ソープヘッド（１）は中空柱状体（１１）であり、中空柱状体（１１）の下端には開口部（１２）が設けられている。中空柱状体（１１）の内側壁（１３）の上面は当接面（１４）であり、中空柱状体（１１）の上面（１５）には貫通孔（１６）が設けられている。カバー（２）には押上げ柱状体（２１）が設けられ、この押上げ柱状体（２１）の先端には係止部（２５）が設けられている。係止部（２５）の上端部には止め輪部（２２）が設けられ、押上げ柱状体（２１）には複数の当接脚部（２３）が凸状に設けられている。蓋体（２）をソープヘッド（１）の貫通孔（１６）内に配置し、止め輪部（２２）の下面は中空柱状体（１１）の上面（１５）に取り付けられ、当接脚部（２３）の上面は当接面（１４）に取り付けられている。係止部（２５）を貫通孔（１６）に当接して固定し、貫通孔（１６）を閉状態にする。使用時には、完全なソープパッケージ装置を形成するために、ソープヘッド（１）をソープパッケージ（３）に組み合わせて設置する必要がある。
【０００９】
カバー（２）は可撓性材料でできている。使用者がポンプソープヘッドを押してカバー（２）を押すと、止め輪部（２２）がソープヘッド（１）の上面に合わない。係止部（２５）は貫通孔（１６）から分離されているので、貫通孔（１６）は閉鎖されていない状態にあり、ソープ液は貫通孔（１６）に流れ込むことができる。カバー（２）を押すと、当接脚部（２３）が圧縮により下方に変形する。押し込みの力がなくなると、カバー（２）が当接脚部（２３）に対する弾性力によりカバー（２）を元の位置に戻し、止め輪部（２２）がソープヘッド（１）の上面（１５）に嵌合する。係止部（２５）が貫通孔（１６）に密着して固定するように復元され、貫通孔（１６）が閉状態に戻されてソープの流れを止める効果が得られる。
【００１０】
接続リブ（２４）が、押上げ柱状体（２１）と当接脚部（２３）との間に配置されている。カバー（２）を上方に押すと、当接脚部（２３）が下方に押され、当接面（１４）と貫通孔（１６）との間に反力が生じ、接続リブ（２４）は、当接脚部（２３）の弾力性を補強する。推力が消えると、カバー（２）は素早く元の状態に戻ることができ、ソープ液はすぐに流れを停止する。さらに、カバー（２）をソープヘッド（１）に組み付けた後、接続リブ（２４）を貫通孔（１６）内に配置し、カバー（２）が上方に移動すると、接続リブ（２４）が貫通孔（１６）内での押上げ柱状体（２１）の移動を円滑にする。カバー（２）は、押し上げられてもあまり振られないので、１回押すごとに一定量のソープ液を維持することができる。
【００１１】
さらに、当接脚部（２３）は、押上げ柱状体（２１）の下端から間隔をあけて配置されており、その距離が緩衝領域（２６）となっている。カバー（２）が上方に移動すると、当接脚部（２３）は圧力によって下方に変形し、緩衝領域（２６）は圧縮変形した後に当接脚部（２３）を収容することができる。また、ポンプヘッドがカバー（２）を上方に押すと、ポンプヘッドが押上げ柱状体（２１）の底面に接触する。緩衝領域（２６）の設計により、ポンプヘッドは当接脚部（２３）に触れず、よりスムーズかつ均等に押し上げることができる。止め輪部（２２）の形状は湾曲した傘形状（２２１）であるので、止め輪部（２２）の周縁は下向きの応力を発生し、その結果止め輪部（２２）はより密接にソープヘッド（１）の上面（１５）に取り付けられる。そして、適切な圧力を加えて、止め輪部（２２）がソープヘッド（１）の上面（１５）により密接に適合するのを補助する。
【００１２】
全体的に、カバー（２）は、ソープヘッド（１）の貫通孔（１６）を効果的に閉じることができる。ソープパッケージ装置は、取り付けまたは交換時にソープを漏らすことがない。さらに、カバー（２）の接続リブ（２４）は、カバー（２）の持ち上げの滑らかさを効果的に補助することができ、当接脚部（２３）をより弾力的にすることができる。カバー（２）をより迅速に元の位置に戻すことができるので、ソープの供給を遅らせることなく、ソープを与えるときに使用者は適時のフィードバック感覚を感じることができる。
【００１３】
上記の実施形態は、本考案の原理および機能の単なる例示であり、本考案を限定することを意図するものではない。したがって、当業者は上記実施形態に修正および変更を加えることも、なお本考案の精神から逸脱しない。本考案は産業上の利用、新規性および進歩性を有し、そして実用新案登録の要件を満たしており、法律に従って出願されている。
【符号の説明】
【００１４】
１    ソープヘッド
１１  中空柱状体
１２  開口部
１３  内側壁
１４  当接面
１５  上面
１６  貫通孔
２    カバー
２１  押上げ柱状体
２２  止め輪部
２２１湾曲した傘形状
２３  当接脚部
２４  接続リブ
２５  係止部
２６  緩衝領域
３    ソープパッケージ
【図１】
0003220685.tif 000003
【図２】
0003220685.tif 000004
【図３】
0003220685.tif 000005
【図４】
0003220685.tif 000006
【図５】
0003220685.tif 000007
【図６】
0003220685.tif 000008
【図７】
0003220685.tif 000009
【図８】
0003220685.tif 000010
【図９】
0003220685.tif 000011
【図１０】
0003220685.tif 000012